(57)【要約】【課題】利便性を向上することが可能な快適環境提供装置を提供すること。【解決手段】状況監視装置１００側において、制御回路３６は、温度センサ４５〜肌水分量センサ９５による検出データを根拠として現在の状況を把握するとともに、その現在の状況をディスプレイ３７及びスピーカ３８を通じて報知する。また、制御回路３６は、現在の状況を示唆する現状データを送信回路３９を介して外部に送信する。そして、その現状データを受信する環境調整装置２００側において、制御回路２２０は、現在の状況に対する快適な環境を作り出す快適環境創生機器（エアコン３００等）に対する作動制御を行う。例えば、ユーザの肌が乾燥気味であるとき、加湿器４００がいわば自動的に運転される。【選択図】図２
2008121963.tif 000002
【特許請求の範囲】
【請求項１】
快適な環境を提供する快適環境提供装置であって、
ユーザが所持するとともに監視対象となる状況を検出するセンサ装置により検出される状況を示唆するデータが、快適な環境が定量化された快適環境基準データに向かうように、快適な環境を作り出す快適環境創生機器に対する作動制御を行う制御手段を備えていることを特徴とする快適環境提供装置。
【請求項２】
請求項１に記載の快適環境提供装置において、
前記制御手段は、前記センサ装置による検出データを根拠として把握される現在の状況が改善を要する状況であるとき、改善を要する状況でない環境が前記快適な環境として定量化されたデータを前記快適環境基準データとして設定するとともに、前記センサ装置による新たな検出データが前記快適環境基準データに向かうように、前記快適環境創生機器に対する作動制御を行うことを特徴とする快適環境提供装置。
【請求項３】
請求項２に記載の快適環境提供装置において、
前記制御手段は、前記快適環境創生機器に対する作動制御を行って以後、前記センサ装置による新たな検出データを根拠として把握される新たな現在の状況が改善を要する状況でなくなったとき、先の作動制御を断ち切るとともに、快適な環境が維持されるように、前記快適環境創生機器に対する新たな作動制御を行うことを特徴とする快適環境提供装置。
【請求項４】
請求項１に記載の快適環境提供装置において、
予め特定の状況を想定するとともに、その特定の状況を示唆する状況データと、前記特定の状況に対する快適な環境を作り出すために必要な前記快適環境創生機器に対する作動制御の内容を示唆する制御内容データとを関連付けしてして記憶する記憶手段を備え、
前記制御手段は、前記記憶手段に記憶されている状況データに相当する検出データが前記センサ装置により検出されたとき、前記状況データに関連付けされている前記制御内容データから把握される制御内容に従って前記快適環境創生機器に対する作動制御を行うことを特徴とする快適環境提供装置。
【請求項５】
請求項１〜請求項４のいずれか１項に記載の快適環境提供装置において、
前記制御手段による前記快適環境創生機器に対する作動制御の内容を報知する報知手段を備えていることを特徴とする快適環境提供装置。
【請求項６】
請求項５に記載の快適環境提供装置において、
前記報知手段により前記内容を報知することでもって、前記快適環境創生機器に対する作動制御が行われることを予告した上で、前記制御手段による前記快適環境創生機器に対する作動制御を開始することを特徴とする快適環境提供装置。
【請求項７】
請求項６に記載の快適環境提供装置において、
前記センサ装置による検出データを根拠として把握される現在の状況を示唆した上で前記予告を行うとともに、その予告を経て、前記制御手段による前記快適環境創生機器に対する作動制御を開始することを特徴とする快適環境提供装置。
【請求項８】
請求項５〜請求項７のいずれか１項に記載の快適環境提供装置において、
前記報知手段は、報知内容の通りに前記快適環境創生機器に対する作動制御が行われてもよいか否かを確認するための確認メッセージを出して当事者の意思を確認するものであり、
前記制御手段は、前記確認メッセージに対する肯定応答を取得したことを条件として、前記快適環境創生機器に対する作動制御を開始することを特徴とする快適環境提供装置。
【発明の詳細な説明】
【技術分野】
【０００１】
本発明は、快適な環境を提供する快適環境提供装置に関する。
【背景技術】
【０００２】
特許文献１には、運転者が所持する携帯機に発汗センサを設けるとともに、それにより検出された運転者の発汗量を示唆するデータを携帯機から送信し、そのデータを受信した自動車側において、同データから把握される運転者の体調を表示部に表示するようにした体調監視システムに関する技術が開示されている。
【０００３】
また、同特許文献１には、発汗センサに代えて又は加えて、心拍（脈拍）センサや血圧センサを携帯機に設けるとともに、このことにより、運転者の発汗量に代えて又は加えて、運転者の心拍（脈拍）や血圧から把握される運転者の体調を表示するようにしてもよいことが記載されている。
【特許文献１】特開２００５−３４５２０号公報（段落番号００２３、００２６、００４２）
【発明の開示】
【発明が解決しようとする課題】
【０００４】
しかしながら、特許文献１に開示されている体調監視システムでは、発汗センサ等による検出データを根拠とした運転者の体調そのものを表示しているに過ぎず、運転者の体調が優れないような場合にあって、体調が優れていないという事実は報知されるが、だからどのようにすべきかといったいわば助言的なことは行われない。従って、かかる報知内容から自分の体調が優れていない事を知ることとなる運転者が自分の体調を改善しようとする場合、それに必要な対策を自分で見出してそれに即した行動を執るしかなく、よって運転者にしてみれば至って面倒である。
【０００５】
例えば、低温乾燥状態にさらされて肌が乾燥気味であることを示唆する内容が表示されたとき、乾燥状態を改善するために加湿器を運転する必要があると考えてそれを実践することになるが、加湿器を運転する作業は、結局のところ運転者が自分で行うしかなく面倒である。
【０００６】
また、併せて皮膚温度が低下していることを示唆する内容が表示されたとき、皮膚温度を上昇させるためにエアコン温度を高めに設定する必要があると考えてそれを実践することになるが、この場合にも、エアコンを運転する作業は、やはり運転者が自分で行うしかなく面倒である。
【０００７】
つまり、状況によっては、複数の空調設備を運転者本人が運転させなければならず、その数が多い程、運転者にしてみれば面倒さの度合が増すことになる。
本発明は、このような問題点に着目してなされたものであって、その目的は、利便性を向上することが可能な快適環境提供装置を提供することにある。
【課題を解決するための手段】
【０００８】
上記の目的を達成するために、請求項１に記載の発明は、快適な環境を提供する快適環境提供装置であって、ユーザが所持するとともに監視対象となる状況を検出するセンサ装置により検出される状況を示唆するデータが、快適な環境が定量化された快適環境基準データに向かうように、快適な環境を作り出す快適環境創生機器に対する作動制御を行う制御手段を備えていることをその要旨としている。
【０００９】
同構成によると、ユーザによって所持されるセンサ装置による検出データが快適環境基準データに向かうように快適環境創生機器に対する作動制御が行われる。つまり、人による操作に頼ることなく、快適な環境がいわば自動的に提供されるので、利便性を向上することができる。
【００１０】
請求項２に記載の発明は、請求項１に記載の快適環境提供装置において、前記制御手段は、前記センサ装置による検出データを根拠として把握される現在の状況が改善を要する状況であるとき、改善を要する状況でない環境が前記快適な環境として定量化されたデータを前記快適環境基準データとして設定するとともに、前記センサ装置による新たな検出データが前記快適環境基準データに向かうように、前記快適環境創生機器に対する作動制御を行うことをその要旨としている。
【００１１】
同構成によると、現在の状況が改善を要する状況であるとき、それが改善されるように快適環境創生機器に対する作動制御が行われる。つまり、人による操作に頼ることなく、現在の状況がいわば自動的に改善されるので、利便性を向上することができる。
【００１２】
請求項３に記載の発明は、請求項２に記載の快適環境提供装置において、前記制御手段は、前記快適環境創生機器に対する作動制御を行って以後、前記センサ装置による新たな検出データを根拠として把握される新たな現在の状況が改善を要する状況でなくなったとき、先の作動制御を断ち切るとともに、快適な環境が維持されるように、前記快適環境創生機器に対する新たな作動制御を行うことをその要旨としている。
【００１３】
同構成によると、状況改善目的での快適環境創生機器に対する作動制御が行われた結果、改善を要する状況が改善されたとき、それ以後において、先の作動制御が断ち切られるとともに、快適な環境が維持されるように快適環境創生機器に対する新たな作動制御が行われる。つまり、人による操作に頼ることなく、快適な環境がいわば自動的に維持されるので、利便性を向上することができる。
【００１４】
請求項４に記載の発明は、請求項１に記載の快適環境提供装置において、予め特定の状況を想定するとともに、その特定の状況を示唆する状況データと、前記特定の状況に対する快適な環境を作り出すために必要な前記快適環境創生機器に対する作動制御の内容を示唆する制御内容データとを関連付けしてして記憶する記憶手段を備え、前記制御手段は、前記記憶手段に記憶されている状況データに相当する検出データが前記センサ装置により検出されたとき、前記状況データに関連付けされている前記制御内容データから把握される制御内容に従って前記快適環境創生機器に対する作動制御を行うことをその要旨としている。
【００１５】
同構成によると、特定の状況となった場合に行われて欲しい制御内容を示唆するデータを制御内容データとして設定しておけば、該特定の状況となったとき、前記制御内容データから把握される制御内容に従って快適環境創生機器に対する作動制御が行われる。つまり、特定の状況になった場合にどのような制御が行われて欲しいかを予め設定しておくことで、当事者の意思に沿う形で快適な環境を提供することができる。
【００１６】
請求項５に記載の発明は、請求項１〜請求項４のいずれか１項に記載の快適環境提供装置において、前記制御手段による前記快適環境創生機器に対する作動制御の内容を報知する報知手段を備えていることをその要旨としている。
【００１７】
同構成によると、快適環境創生機器に対する作動制御が行われるに際して、その制御内容が報知されるので、それを受けた者にしてみれば、快適環境創生機器に対する作動制御の内容を把握できる。
【００１８】
請求項６に記載の発明は、請求項５に記載の快適環境提供装置において、前記報知手段により前記内容を報知することでもって、前記快適環境創生機器に対する作動制御が行われることを予告した上で、前記制御手段による前記快適環境創生機器に対する作動制御を開始することをその要旨としている。
【００１９】
同構成によると、快適環境創生機器に対する作動制御が行われることが予告された上で、快適環境創生機器に対する作動制御が開始されるので、快適環境創生機器が作動されている所へ当事者が場を移した場合において、その者は、快適環境創生機器が作動中であることの理由が自分の消し忘れ（作動解除のし忘れ）によるものでないことを把握できる。
【００２０】
請求項７に記載の発明は、請求項６に記載の快適環境提供装置において、前記センサ装置による検出データを根拠として把握される現在の状況を示唆した上で前記予告を行うとともに、その予告を経て、前記制御手段による前記快適環境創生機器に対する作動制御を開始することをその要旨としている。
【００２１】
同構成によると、現在の状況が示唆された上で、それに対する快適な環境を作り出すために必要な制御内容が予告されるとともに、その予告を経て、快適環境創生機器に対する作動制御が開始される。このため、このような予告を受ける者にしてみれば、現在の状況が示唆されることで、なぜ快適環境創生機器に対する作動制御が行われることになるのかその理由が明白になる。従って、当事者に誤解を与えないように納得させることができる。
【００２２】
請求項８に記載の発明は、請求項５〜請求項７のいずれか１項に記載の快適環境提供装置において、前記報知手段は、報知内容の通りに前記快適環境創生機器に対する作動制御が行われてもよいか否かを確認するための確認メッセージを出して当事者の意思を確認し、前記制御手段は、前記確認メッセージに対する肯定応答を取得したことを条件として、前記快適環境創生機器に対する作動制御を開始することをその要旨としている。
【００２３】
同構成によると、確認メッセージでもって、報知内容の通りに快適環境創生機器に対する作動制御が行われてもよいか否かが確認されるとともに、それに対する肯定応答があったことを条件として、快適環境創生機器に対する作動制御が開始される。つまり、当事者から肯定応答が得られないような場合には、快適環境創生機器に対する作動制御は行われない。従って、当事者の意に反して快適環境創生機器に対する作動制御が勝手に行われるようなことを回避できる。要は、当事者の意思を尊重することができる。
【発明の効果】
【００２４】
本発明は、以上のように構成されているため、次のような効果を奏する。
本発明によれば、利便性を向上することができる。
【発明を実施するための最良の形態】
【００２５】
以下、本発明を、監視対象となる状況として、ユーザの生活環境と同ユーザの体調との両者を監視するとともに、それらの状況に対する快適な環境を提供する快適環境提供装置に具体化した一実施形態を説明する。
【００２６】
図２に示すように、快適環境提供装置としての快適環境提供システム１は、ユーザによって所持される状況監視装置１００と、快適な環境を作り出す快適環境創生機器（エアコン３００、加湿器４００、アロマディフューザー５００、オーディオ６００、照明器具７００）に対する作動制御を行う環境調整装置２００とを備えている。
【００２７】
まず、状況監視装置１００について説明する。図１（ａ），（ｂ）に示すように、状況監視装置１００は、ユーザの腕を取り巻くように装着可能な可撓性を有するバンド２の長手方向中央部に、略円板形状をなす装置本体３が設けられている。そして、その装置本体３の一側方には、バンド２の長手方向に沿って温度センサ装置４、湿度センサ装置５、紫外線量センサ装置６の順にそれらが連接されるとともに、同装置本体３の他側方には、バンド２の長手方向に沿って体温センサ装置７、心拍数センサ装置８、肌水分量センサ装置９の順にそれらが連接されている。
【００２８】
尚、温度センサ装置４、湿度センサ装置５、紫外線量センサ装置６、体温センサ装置７、心拍数センサ装置８、肌水分量センサ装置９、の各々は、装置本体３よりも一回り程度小さな略円板形状をなすとともに、互いに同一形状をなしている。また、これら温度センサ装置４〜肌水分量センサ装置９の各々は、装置本体３の厚みと略同じ厚みを有している。
【００２９】
弾性変形可能なバンド２の長手方向中央部には、一対の取付用孔２１，２２が設けられるとともに、取付用孔２１は、バンド２の長手方向中央から一側方へ少しだけ偏倚した位置に設けられ、取付用孔２２は、バンド２の長手方向中央から他側方へ少しだけ偏倚した位置に設けられている。そして、装置本体３の裏面中央部には、前記取付用孔２１，２２に対応するように一対の突起３１，３２が設けられるとともに、突起３１は取付用孔２１に嵌合され、突起３２は取付用孔２２に嵌合され、これにより、バンド２に対して装置本体３が着脱可能に取り付けられている。
【００３０】
突起３１，３２の外径は、取付用孔２１，２２の穴径よりも若干大きく設定されるとともに、これにより、突起３１，３２は、バンド２の弾性力に抗して、取付用孔２１，２２に対して圧入状態で取り付けられている。また、装置本体３の裏面からの突起３１，３２の突出長さは、取付用孔２１，２２の深さ（＝バンド２の厚み）よりも長く設定されるとともに、これにより、バンド２がユーザの腕に装着されたとき、突起３１，３２の先端面は、ユーザの腕に密着状態で接触されるようになっている。ただし、バンド２の裏面からの突起３１，３２の突出長さは、ユーザの腕にバンド２が装着されている状態にあって、同ユーザが腕に痛みを感じない程度に設定されている。尚、突起３１，３２の先端面に丸みを持たせる等して、ユーザが腕に痛みを感じないように配慮してもよい。
【００３１】
尚、突起３１，３２の先端面、つまりユーザの腕に対する接触面には、状況監視装置１００と自動車との間において、ユーザの人体を信号伝送路とする人体内通信が可能となるように、基準電位用電極及び通信用電極が露出されているが、これについては本実施形態の要部ではないため、詳細な説明を割愛する。ちなみに、基準電位用電極は、突起３１の先端面に設けられるとともに、通信用電極は、突起３２の先端面に設けられている。
【００３２】
また、バンド２には、取付用孔２１からバンド２の長手方向一側方へ向かって取付用孔２３〜２５が互いに離間するように設けられるとともに、取付用孔２２からバンド２の長手方向他側方へ向かって取付用孔２６〜２８が互いに離間するように設けられている。尚、取付用孔２３〜２８の穴径は、互いに同じ大きさに設定されている。
【００３３】
温度センサ装置４の裏面中央部には、前記取付用孔２３に対応するように突起４１が設けられるとともに、その突起４１は取付用孔２３に嵌合され、これにより、バンド２に対して温度センサ装置４が着脱可能に取り付けられている。
【００３４】
突起４１の外径は、取付用孔２３の穴径よりも若干大きく設定されるとともに、これにより、突起４１は、バンド２の弾性力に抗して、取付用孔２３に対して圧入状態で取り付けられている。また、温度センサ装置４の裏面からの突起４１の突出長さは、取付用孔２３の深さ（＝バンド２の厚み）よりも長く設定されるとともに、これにより、バンド２がユーザの腕に装着されたとき、突起４１の先端面は、ユーザの腕に密着状態で接触されるようになっている。ただし、バンド２の裏面からの突起４１の突出長さは、ユーザの腕にバンド２が装着されている状態にあって、同ユーザが腕に痛みを感じない程度に設定されている。尚、突起４１の先端面に丸みを持たせる等して、ユーザが腕に痛みを感じないように配慮してもよい。
【００３５】
尚、温度センサ装置４の表面、つまり突起４１が設けられている面とは反対側の面には、温度センサが露出されるとともに、この温度センサによりユーザの生活環境の１つを示すものとして、ユーザを取り巻いている環境の温度が検出されるようになっている。
【００３６】
湿度センサ装置５の裏面中央部には、前記取付用孔２４に対応するように突起５１が設けられるとともに、その突起５１は取付用孔２４に嵌合され、これにより、バンド２に対して湿度センサ装置５が着脱可能に取り付けられている。
【００３７】
突起５１の外径は、取付用孔２４の穴径よりも若干大きく設定されるとともに、これにより、突起５１は、バンド２の弾性力に抗して、取付用孔２４に対して圧入状態で取り付けられている。また、湿度センサ装置５の裏面からの突起５１の突出長さは、取付用孔２４の深さ（＝バンド２の厚み）よりも長く設定されるとともに、これにより、バンド２がユーザの腕に装着されたとき、突起５１の先端面は、ユーザの腕に密着状態で接触されるようになっている。ただし、バンド２の裏面からの突起５１の突出長さは、ユーザの腕にバンド２が装着されている状態にあって、同ユーザが腕に痛みを感じない程度に設定されている。尚、突起５１の先端面に丸みを持たせる等して、ユーザが腕に痛みを感じないように配慮してもよい。
【００３８】
尚、湿度センサ装置５の表面、つまり突起５１が設けられている面とは反対側の面には、湿度センサが露出されるとともに、この湿度センサによりユーザの生活環境の１つを示すものとして、ユーザを取り巻いている環境の湿度が検出されるようになっている。
【００３９】
紫外線量センサ装置６の裏面中央部には、前記取付用孔２５に対応するように突起６１が設けられるとともに、その突起６１は取付用孔２５に嵌合され、これにより、バンド２に対して紫外線量センサ装置６が着脱可能に取り付けられている。
【００４０】
突起６１の外径は、取付用孔２５の穴径よりも若干大きく設定されるとともに、これにより、突起６１は、バンド２の弾性力に抗して、取付用孔２５に対して圧入状態で取り付けられている。また、紫外線量センサ装置６の裏面からの突起６１の突出長さは、取付用孔２５の深さ（＝バンド２の厚み）よりも長く設定されるとともに、これにより、バンド２がユーザの腕に装着されたとき、突起６１の先端面は、ユーザの腕に密着状態で接触されるようになっている。ただし、バンド２の裏面からの突起６１の突出長さは、ユーザの腕にバンド２が装着されている状態にあって、同ユーザが腕に痛みを感じない程度に設定されている。尚、突起６１の先端面に丸みを持たせる等して、ユーザが腕に痛みを感じないように配慮してもよい。
【００４１】
尚、紫外線量センサ装置６の表面、つまり突起６１が設けられている面とは反対側の面には、紫外線量センサが露出されるとともに、この紫外線量センサによりユーザの生活環境の１つを示すものとして、ユーザに降り注いでいる紫外線の量が検出されるようになっている。
【００４２】
体温センサ装置７の裏面中央部には、前記取付用孔２６に対応するように突起７１が設けられるとともに、その突起７１は取付用孔２６に嵌合され、これにより、バンド２に対して体温センサ装置７が着脱可能に取り付けられている。
【００４３】
突起７１の外径は、取付用孔２６の穴径よりも若干大きく設定されるとともに、これにより、突起７１は、バンド２の弾性力に抗して、取付用孔２６に対して圧入状態で取り付けられている。また、体温センサ装置７の裏面からの突起７１の突出長さは、取付用孔２６の深さ（＝バンド２の厚み）よりも長く設定されるとともに、これにより、バンド２がユーザの腕に装着されたとき、突起７１の先端面は、ユーザの腕に密着状態で接触されるようになっている。ただし、バンド２の裏面からの突起７１の突出長さは、ユーザの腕にバンド２が装着されている状態にあって、同ユーザが腕に痛みを感じない程度に設定されている。尚、突起７１の先端面に丸みを持たせる等して、ユーザが腕に痛みを感じないように配慮してもよい。
【００４４】
尚、突起７１の先端面、つまりユーザの腕に対する接触面には、体温センサが露出されるとともに、この体温センサによりユーザの体調の１つを示すものとして、ユーザの皮膚温度が検出されるようになっている。
【００４５】
心拍数センサ装置８の裏面中央部には、前記取付用孔２７に対応するように突起８１が設けられるとともに、その突起８１は取付用孔２７に嵌合され、これにより、バンド２に対して心拍数センサ装置８が着脱可能に取り付けられている。
【００４６】
突起８１の外径は、取付用孔２７の穴径よりも若干大きく設定されるとともに、これにより、突起８１は、バンド２の弾性力に抗して、取付用孔２７に対して圧入状態で取り付けられている。また、心拍数センサ装置８の裏面からの突起８１の突出長さは、取付用孔２７の深さ（＝バンド２の厚み）よりも長く設定されるとともに、これにより、バンド２がユーザの腕に装着されたとき、突起８１の先端面は、ユーザの腕に密着状態で接触されるようになっている。ただし、バンド２の裏面からの突起８１の突出長さは、ユーザの腕にバンド２が装着されている状態にあって、同ユーザが腕に痛みを感じない程度に設定されている。尚、突起８１の先端面に丸みを持たせる等して、ユーザが腕に痛みを感じないように配慮してもよい。
【００４７】
尚、突起８１の先端面、つまりユーザの腕に対する接触面には、心拍数センサが露出されるとともに、この心拍数センサによりユーザの体調の１つを示すものとして、ユーザの心拍数が検出されるようになっている。
【００４８】
肌水分量センサ装置９の裏面中央部には、前記取付用孔２８に対応するように突起９１が設けられるとともに、その突起９１は取付用孔２８に嵌合され、これにより、バンド２に対して肌水分量センサ装置９が着脱可能に取り付けられている。
【００４９】
突起９１の外径は、取付用孔２８の穴径よりも若干大きく設定されるとともに、これにより、突起９１は、バンド２の弾性力に抗して、取付用孔２８に対して圧入状態で取り付けられている。また、肌水分量センサ装置９の裏面からの突起９１の突出長さは、取付用孔２８の深さ（＝バンド２の厚み）よりも長く設定されるとともに、これにより、バンド２がユーザの腕に装着されたとき、突起９１の先端面は、ユーザの腕に密着状態で接触されるようになっている。ただし、バンド２の裏面からの突起９１の突出長さは、ユーザの腕にバンド２が装着されている状態にあって、同ユーザが腕に痛みを感じない程度に設定されている。尚、突起９１の先端面に丸みを持たせる等して、ユーザが腕に痛みを感じないように配慮してもよい。
【００５０】
尚、突起９１の先端面、つまりユーザの腕に対する接触面には、肌水分量センサが露出されるとともに、この肌水分量センサによりユーザの体調の１つを示すものとして、ユーザの肌水分量が検出されるようになっている。
【００５１】
装置本体３の外周面には、メスコネクタ３３が凹設されるとともに、装置本体３の中心を挟んでメスコネクタ３３が設けられる位置とは反対側の位置には、メスコネクタ３４が凹設されている。
【００５２】
温度センサ装置４の外周面には、前記メスコネクタ３３に適合するオスコネクタ４２が突設されるとともに、そのオスコネクタ４２はメスコネクタ３３に嵌合され、これにより、装置本体３に対して温度センサ装置４が着脱可能に取り付けられている。尚、温度センサ装置４においてオスコネクタ４２が設けられている側とは反対側の外周面には、メスコネクタ４３が凹設されている。
【００５３】
湿度センサ装置５の外周面には、前記メスコネクタ４３に適合するオスコネクタ５２が突設されるとともに、そのオスコネクタ５２はメスコネクタ４３に嵌合され、これにより、温度センサ装置４に対して湿度センサ装置５が着脱可能に取り付けられている。尚、湿度センサ装置５においてオスコネクタ５２が設けられている側とは反対側の外周面には、メスコネクタ５３が凹設されている。
【００５４】
紫外線量センサ装置６の外周面には、前記メスコネクタ５３に適合するオスコネクタ６２が突設されるとともに、そのオスコネクタ６２はメスコネクタ５３に嵌合され、これにより、湿度センサ装置５に対して紫外線量センサ装置６が着脱可能に取り付けられている。尚、紫外線量センサ装置６においてオスコネクタ６２が設けられている側とは反対側の外周面には、メスコネクタ６３が凹設されているが、本実施形態では、このメスコネクタ６３に嵌合されるオスコネクタは存在していない。
【００５５】
体温センサ装置７の外周面には、前記メスコネクタ３４に適合するオスコネクタ７２が突設されるとともに、そのオスコネクタ７２はメスコネクタ３４に嵌合され、これにより、装置本体３に対して体温センサ装置７が着脱可能に取り付けられている。尚、体温センサ装置７においてオスコネクタ７２が設けられている側とは反対側の外周面には、メスコネクタ７３が凹設されている。
【００５６】
心拍数センサ装置８の外周面には、前記メスコネクタ７３に適合するオスコネクタ８２が突設されるとともに、そのオスコネクタ８２はメスコネクタ７３に嵌合され、これにより、体温センサ装置７に対して心拍数センサ装置８が着脱可能に取り付けられている。尚、心拍数センサ装置８においてオスコネクタ８２が設けられている側とは反対側の外周面には、メスコネクタ８３が凹設されている。
【００５７】
肌水分量センサ装置９の外周面には、前記メスコネクタ８３に適合するオスコネクタ９２が突設されるとともに、そのオスコネクタ９２はメスコネクタ８３に嵌合され、これにより、心拍数センサ装置８に対して肌水分量センサ装置９が着脱可能に取り付けられている。尚、肌水分量センサ装置９においてオスコネクタ９２が設けられている側とは反対側の外周面には、メスコネクタ９３が凹設されているが、本実施形態では、このメスコネクタ９３に嵌合されるオスコネクタは存在していない。
【００５８】
ここで、本実施形態において前記メスコネクタ３３，３４，４３，５３，６３，７３，８３，９３は、互いに同一構成であるとともに、前記オスコネクタ４２，５２，６２，７２，８２，９２は、互いに同一構成である。従って、本実施形態では、オスコネクタ４２，５２，６２，７２，８２，９２の各々は、それが設けられている自センサ装置のメスコネクタを除いて、メスコネクタ３３，３４，４３，５３，６３，７３，８３，９３のどれにも適合する。
【００５９】
次に、状況監視装置１００の電気的構成について説明する。
図２に示すように、状況監視装置１００の装置本体３には、メスコネクタ３３及びオスコネクタ４２を介して温度センサ装置４が電気的に接続されるとともに、その温度センサ装置４には、メスコネクタ４３及びオスコネクタ５２を介して湿度センサ装置５が電気的に接続され、さらに、その湿度センサ装置５には、メスコネクタ５３及びオスコネクタ６２を介して紫外線量センサ装置６が電気的に接続されている。
【００６０】
また、状況監視装置１００の装置本体３には、メスコネクタ３４及びオスコネクタ７２を介して体温センサ装置７が電気的に接続されるとともに、その体温センサ装置７には、メスコネクタ７３及びオスコネクタ８２を介して心拍数センサ装置８が電気的に接続され、さらに、その心拍数センサ装置８には、メスコネクタ８３及びオスコネクタ９２を介して肌水分量センサ装置９が電気的に接続されている。
【００６１】
紫外線量センサ装置６は、その表面側に露出された紫外線量センサ６５により紫外線量を検出するとともに、紫外線量を示唆するデータを通信回路６６により装置本体３にとって扱いやすい形式に変換し、それをオスコネクタ６２を介して外部装置（この場合、湿度センサ装置５）に出力する。また、紫外線量センサ装置６は、メスコネクタ６３を介して外部装置（この場合、メスコネクタ６３を介して接続される外部装置は存在していない）から取得したデータを、通信回路６６及びオスコネクタ６２を介して外部装置（この場合、湿度センサ装置５）に出力する。
【００６２】
湿度センサ装置５は、その表面側に露出された湿度センサ５５により環境湿度を検出するとともに、環境湿度を示唆するデータを通信回路５６により装置本体３にとって扱いやすい形式に変換し、それをオスコネクタ５２を介して外部装置（この場合、温度センサ装置４）に出力する。また、湿度センサ装置５は、メスコネクタ５３を介して外部装置（この場合、紫外線量センサ装置６）から取得したデータを、通信回路５６及びオスコネクタ５２を介して外部装置（この場合、温度センサ装置４）に出力する。
【００６３】
温度センサ装置４は、その表面側に露出された温度センサ４５により環境温度を検出するとともに、環境温度を示唆するデータを通信回路４６により装置本体３にとって扱いやすい形式に変換し、それをオスコネクタ４２を介して外部装置（この場合、装置本体３）に出力する。また、温度センサ装置４は、メスコネクタ４３を介して外部装置（この場合、湿度センサ装置５）から取得したデータを、通信回路４６及びオスコネクタ４２を介して外部装置（この場合、装置本体３）に出力する。
【００６４】
肌水分量センサ装置９は、その裏面側に露出された肌水分量センサ９５によりユーザの肌水分量を検出するとともに、ユーザの肌水分量を示唆するデータを通信回路９６により装置本体３にとって扱いやすい形式に変換し、それをオスコネクタ９２を介して外部装置（この場合、心拍数センサ装置８）に出力する。また、肌水分量センサ装置９は、メスコネクタ９３を介して外部装置（この場合、メスコネクタ９３を介して接続される外部装置は存在していない）から取得したデータを、通信回路９６及びオスコネクタ９２を介して外部装置（この場合、心拍数センサ装置８）に出力する。
【００６５】
心拍数センサ装置８は、その裏面側に露出された心拍数センサ８５によりユーザの心拍数を検出するとともに、ユーザの心拍数を示唆するデータを通信回路８６により装置本体３にとって扱いやすい形式に変換し、それをオスコネクタ８２を介して外部装置（この場合、体温センサ装置７）に出力する。また、心拍数センサ装置８は、メスコネクタ８３を介して外部装置（この場合、肌水分量センサ装置９）から取得したデータを、通信回路８６及びオスコネクタ８２を介して外部装置（この場合、体温センサ装置７）に出力する。
【００６６】
体温センサ装置７は、その裏面側に露出された体温センサ７５によりユーザの皮膚温度を検出するとともに、ユーザの皮膚温度を示唆するデータを通信回路７６により装置本体３にとって扱いやすい形式に変換し、それをオスコネクタ７２を介して外部装置（この場合、装置本体３）に出力する。また、体温センサ装置７は、メスコネクタ７３を介して外部装置（この場合、心拍数センサ装置８）から取得したデータを、通信回路７６及びオスコネクタ７２を介して外部装置（この場合、装置本体３）に出力する。
【００６７】
装置本体３は、メスコネクタ３３を介して外部装置（この場合、温度センサ装置４）から取得したデータがどのセンサ装置により検出されたものであるかを通信回路３５により特定するとともに、メスコネクタ３４を介して外部装置（この場合、体温センサ装置７）から取得したデータがどのセンサ装置により検出されたものであるかを通信回路３５により特定する。そして、同装置本体３は、該特定結果とデータのレベルとが関連付けされたデータが通信回路３５から制御回路３６に出力されたとき、そのデータが制御回路３６により解析される。そして、同装置本体３は、該解析結果から現在の状況が制御回路３６により把握されるとともに、その現在の状況を報知するために、制御回路３６によりディスプレイ３７やスピーカ３８が作動されるようになっている。
【００６８】
また、装置本体３は、制御回路３６により把握された現在の状況を示唆する現状データ（これは、センサ装置による検出データに等しい。）を送信回路３９を介して外部に送信するようになっている。
【００６９】
環境調整装置２００は、状況監視装置１００から送信されてくる現状データを受信するための受信回路２１０と、その受信回路２１０により受信された現状データを根拠として現在の状況を把握するとともに、その現在の状況に対する快適な環境を提供するために、快適環境創生機器（エアコン３００等）に対する作動制御を行う制御回路２２０とを備えている。
【００７０】
制御回路２２０は、不揮発性のメモリ２２０ａを備えるとともに、そのメモリ２２０ａには、快適な環境が定量化された快適環境基準データが記憶されている。尚、現在の状況は刻々と変化するとともに、それに伴って制御回路２２０で取得される現状データも刻々と変化することになるが、ここに、制御回路２２０は、新たに取得する現状データが快適環境基準データに向かうように、快適環境創生機器（エアコン３００等）に対する作動制御を行うようになっている。尚、このような快適環境創生機器（エアコン３００等）に対する作動制御の内容は、前記ディスプレイ３７及び前記スピーカ３８により報知されるようになっている。
【００７１】
次に、快適環境提供システム１の作用について具体例を挙げて説明する。
ここでは、ユーザが車両の運転を終えた後、駐車場から自宅まで帰宅するに際して、冬場の如く低温乾燥状態に長時間に亘ってさらされる場合を想定する。この場合、ユーザの皮膚温度が下がるとともに、ユーザの肌水分量が少なくなることが考えられ、そうすると、体温センサ７５により検出される皮膚温度が基準皮膚温度未満となり、また、肌水分量センサ９５により検出される肌水分量が基準肌水分量未満となる。よって、この場合、制御回路３６は、ユーザの皮膚温度が基準皮膚温度未満であることを示唆するデータを取得するとともに、ユーザの肌水分量が基準肌水分量未満であることを示唆するデータを取得することになる。
【００７２】
従って、この場合、制御回路３６は、これらのデータを根拠として、ユーザの皮膚温度が基準皮膚温度未満であり、且つユーザの肌水分量が基準肌水分量未満である、という現在の状況を把握するとともに、その現在の状況を報知するために、ディスプレイ３７及びスピーカ３８を作動させる。つまり、この場合、制御回路３６は、「皮膚温度が下がっていますので家のエアコンを運転して部屋を暖めておきます。また、肌が乾燥気味ですので加湿器を運転しておきます。」という内容のメッセージを文字や絵でディスプレイ３７上に表示するとともに、かかる内容の音声メッセージをスピーカ３８から流す。
【００７３】
また、制御回路３６は、自身が取得したデータ、つまり、この場合、ユーザの皮膚温度が基準皮膚温度未満であることを示唆するデータと、ユーザの肌水分量が基準肌水分量未満であることを示唆するデータとを現状データとして送信回路３９を介して外部に送信する。
【００７４】
すると、この現状データが受信回路２１０により受信されるとともに、この現状データを根拠として制御回路２２０により現在の状況が把握される。つまり、この場合、制御回路２２０は、ユーザの皮膚温度が基準皮膚温度未満であり、且つユーザの肌水分量が基準肌水分量未満である、という現在の状況（この場合、改善を要する状況に等しい。）を把握する。
【００７５】
ここに、メモリ２２０ａには、快適環境基準データとして、ユーザの皮膚温度が基準皮膚温度であることを示唆するデータに相当する基準皮膚温度データと、ユーザの肌水分量が基準肌水分量であることを示唆するデータに相当する基準肌水分量データとが記憶されている。そして、制御回路２２０は、ユーザの皮膚温度を基準皮膚温度まで上昇させるために、また、ユーザの肌水分量を基準肌水分量まで高めるために、エアコン３００及び加湿器４００に対する作動制御を開始する。つまり、制御回路２２０は、改善を要する状況が改善されるように、別の言い方をすると、新たに取得する現状データが快適環境基準データに向かうように、エアコン３００及び加湿器４００に対する作動制御を開始する。尚、このとき、エアコン３００は、室内温度が高めになるように運転されるとともに、加湿器４００は最大出力で運転される。
【００７６】
尚、このようにしてエアコン３００及び加湿器４００に対する作動制御が行われることに先立って、その制御内容がディスプレイ３７及びスピーカ３８により報知されている。つまり、この場合、エアコン３００や加湿器４００を運転することが、予め前記メッセージにより報知されている。また、前記メッセージにより、皮膚温度が下がっていることや肌が乾燥気味であること、つまり現在の状況も報知されている。従って、本実施形態の快適環境提供システム１では、現在の状況が示唆された上で、それに対する快適な環境を作り出すために必要な制御内容がいわば予告されるとともに、その予告を経て、快適環境創生機器（エアコン３００等）に対する作動制御が開始されるようになっている。
【００７７】
そして、やがて、ユーザが帰宅すると、そのとき既にエアコン３００及び加湿器４００が運転されており、よって、その場は、低皮膚温度且つ乾燥気味というユーザの体調を改善するに相応しい環境、つまり温暖且つ適度な湿潤状態となっている。従って、このユーザがこの部屋で過ごしたとき、やがてユーザの体調は、低皮膚温度且つ乾燥気味の状態が解消されることとなり、具体的にはユーザの皮膚温度が適温まで上昇するとともに、ユーザの肌水分量が適量まで高められる。よって、この場合、制御回路３６は、ユーザの皮膚温度が基準皮膚温度に対して所定の範囲内であることを示唆するデータを取得するとともに、ユーザの肌水分量が基準肌水分量に対して所定の範囲内であることを示唆するデータを取得することになる。
【００７８】
従って、この場合、制御回路３６は、これらのデータを根拠として、ユーザの皮膚温度や肌水分量が改善されて正常値に戻ったという新たな現在の状況を把握するとともに、その現在の状況を報知するために、ディスプレイ３７及びスピーカ３８を作動させる。つまり、この場合、制御回路３６は、「皮膚温度が回復しましたのでエアコンを弱めます。また、肌水分量も回復しましたので加湿器を弱めます。」という内容のメッセージを文字や絵でディスプレイ３７上に表示するとともに、かかる内容の音声メッセージをスピーカ３８から流す。
【００７９】
また、制御回路３６は、自身が新たに取得したデータ、つまり、この場合、ユーザの皮膚温度が基準皮膚温度に対して所定の範囲内であることを示唆するデータと、ユーザの肌水分量が基準肌水分量に対して所定の範囲内であることを示唆するデータとを新たな現状データとして送信回路３９を介して外部に送信する。
【００８０】
すると、この新たな現状データが受信回路２１０により受信されるとともに、この新たな現状データを根拠として制御回路２２０により新たな現在の状況が把握される。つまり、この場合、制御回路２２０は、ユーザの皮膚温度や肌水分量が改善されて正常値に戻ったという新たな現在の状況（この場合、改善を要する状況でない状況に等しい。）を把握する。そして、この場合、制御回路２２０は、先の作動制御を断ち切るとともに、その新たな現在の状況、つまり快適な環境が維持されるように、エアコン３００及び加湿器４００に対する新たな作動制御を開始する。尚、このとき、エアコン３００は、室内温度が適温に保たれるように弱い出力で運転されるとともに、加湿器４００は、室内湿度が適湿に保たれるように弱い出力で運転される。
【００８１】
尚、このようにしてエアコン３００及び加湿器４００に対する新たな作動制御が行われる場合にも、それに先立って、その新たな制御内容がディスプレイ３７及びスピーカ３８により報知されている。つまり、この場合、エアコン３００や加湿器４００を弱めることが、予め前記メッセージにより報知されている。また、前記メッセージにより、皮膚温度や肌水分量が回復したこと、つまり新たな現在の状況も報知されている。従って、この場合についても、現在の状況が示唆された上で、それに対する快適な環境を作り出すために必要な制御内容がいわば予告されるとともに、その予告を経て、快適環境創生機器（エアコン３００等）に対する作動制御が開始されるようになっていると言える。
【００８２】
以上、詳述したように本実施形態によれば、次のような作用、効果を得ることができる。
（１）体温センサ７５等のセンサ装置による検出データ（制御回路２２０により取得される現状データがこれに等しい。）が、メモリ２２０ａに記憶されている快適環境基準データに向かうように、エアコン３００等の快適環境創生機器に対する作動制御が行われる。つまり、人による操作に頼ることなく、快適な環境がいわば自動的に提供されるので、利便性を向上することができる。
【００８３】
（２）肌が乾燥気味である場合のように、現在の状況が改善を要する状況であるとき、それが改善されるように、加湿器４００等の快適環境創生機器に対する作動制御が行われる。つまり、人による操作に頼ることなく、現在の状況がいわば自動的に改善されるので、利便性を向上することができる。
【００８４】
（３）状況改善目的での快適環境創生機器（加湿器４００等）に対する作動制御が行われた結果、改善を要する状況が改善されたとき、それ以後において、先の作動制御が断ち切られるとともに、快適な環境が維持されるように快適環境創生機器（加湿器４００）に対する新たな作動制御が行われる。つまり、人による操作に頼ることなく、快適な環境がいわば自動的に維持されるので、利便性を向上することができる。
【００８５】
（４）快適環境創生機器（エアコン３００等）に対する作動制御が行われるに際して、その制御内容（エアコン３００を運転すること等）がディスプレイ３７及びスピーカ３８により報知されるので、それを受けた者にしてみれば、快適環境創生機器（エアコン３００等）に対する作動制御の内容を把握できる。
【００８６】
（５）快適環境創生機器（エアコン３００等）に対する作動制御が行われることが予告された上で、快適環境創生機器（エアコン３００等）に対する作動制御が開始されるので、快適環境創生機器（エアコン３００等）が作動されている所へ当事者が場を移した場合において、その者は、快適環境創生機器（エアコン３００等）が作動中であることの理由が自分の消し忘れ（作動解除のし忘れ）によるものでないことを把握できる。
【００８７】
（６）現在の状況（肌が乾燥気味であること等）が示唆された上で、それに対する快適な環境を作り出すために必要な制御内容（加湿器４００等を運転すること）が予告されるとともに、その予告を経て、快適環境創生機器（加湿器４００等）に対する作動制御が開始される。このため、このような予告を受ける者にしてみれば、現在の状況（肌が乾燥気味であること等）が示唆されることで、なぜ快適環境創生機器（加湿器４００等）に対する作動制御が行われることになるのかその理由が明白になる。従って、当事者に誤解を与えないように納得させることができる。
【００８８】
（７）体調が著しく悪い等の理由により、快適環境創生機器（エアコン３００等）を運転するために必要な操作を自分で行えないようなときでも、状況監視装置１００を身に付けておくだけで、自分の体調に適した環境がいわば自動的に調えられるので、至って便利である。
【００８９】
尚、前記実施形態は、次のように変更して具体化することも可能である。
・予め特定の状況を想定するとともに、その特定の状況を示唆する状況データと、該特定の状況に対する快適な環境を作り出すために必要な快適環境創生機器（アロマディフューザー５００等）に対する作動制御の内容を示唆する制御内容データとを関連付けしてしてメモリ２２０ａに記憶させておいてもよい。
【００９０】
例えば、特定の状況として、ユーザが車両の運転中に興奮状態となるような場合を想定する。この場合、血流の上昇に伴ってユーザの皮膚温度が上昇するとともに、ユーザの心拍数が多くなることが考えられるので、ユーザの皮膚温度が基準皮膚温度を超えていることを示唆するデータや、ユーザの心拍数が基準心拍数を超えていることを示唆するデータを状況データとして予め設定しておく。
【００９１】
そして、この場合、ユーザの興奮状態を改善するためには、つまりユーザをリラックスさせるためには、エアコン３００により車内が涼しくなるようにすることの他に、アロマディフューザー５００によりユーザが好む香りを漂わせることやオーディオ６００によりユーザが好む音楽を流すことが望ましい。従って、この場合、車内温度が低めになるようにエアコン３００を運転することを示唆するデータ、ユーザが好む香りが漂うようにアロマディフューザー５００を運転することを示唆するデータ、ユーザが好む音楽が流れるようにオーディオ６００を運転することを示唆するデータを制御内容データとして予め設定しておく。
【００９２】
そして、この場合、制御回路２２０は、状況データに相当する検出データがセンサ装置（心拍数センサ装置８等）により検出されたとき、該状況データに関連付けされている制御内容データから把握される制御内容に従って快適環境創生機器（アロマディフューザー５００等）に対する作動制御を行う。
【００９３】
同構成によると、特定の状況（ユーザが車両の運転中に緊張又は興奮状態である状況）となった場合に行われて欲しい制御内容を示唆するデータを制御内容データとして設定しておけば、該特定の状況となったとき、制御内容データから把握される制御内容に従って快適環境創生機器（アロマディフューザー５００等）に対する作動制御が行われる。つまり、特定の状況になった場合にどのような制御が行われて欲しいかを予め設定しておくことで、当事者の意思に沿う形で快適な環境を提供することができる。
【００９４】
ここに、緊張又は興奮状態を改善するためのものとして、リラックスコース等というようなコースを設定できるようにしてもよい。そして、リラックスコースでは、香り、音楽のジャンルや選曲、音量、照度等を当事者の好みに応じて設定すればよい。
【００９５】
・ディスプレイ３７及びスピーカ３８を通じて、報知内容の通りに快適環境創生機器（エアコン３００等）に対する作動制御が行われてもよいか否かを確認するための確認メッセージを出して当事者の意思を確認してもよい。この場合、制御回路２２０は、前記確認メッセージに対する肯定応答を取得したことを条件として、快適環境創生機器（エアコン３００等）に対する作動制御を開始する。
【００９６】
同構成によると、確認メッセージでもって、報知内容の通りに快適環境創生機器（エアコン３００等）に対する作動制御が行われてもよいか否かが確認されるとともに、それに対する肯定応答があったことを条件として、快適環境創生機器（エアコン３００等）に対する作動制御が開始される。つまり、当事者から肯定応答が得られないような場合には、快適環境創生機器（エアコン３００等）に対する作動制御は行われない。従って、当事者の意に反して快適環境創生機器（エアコン３００等）に対する作動制御が勝手に行われるようなことを回避できる。要は、当事者の意思を尊重することができる。
【００９７】
例えば、前記実施形態の作用の説明で用いた具体例を援用すると、「皮膚温度が下がっていますので家のエアコンを運転して部屋を暖めておきましょうか。また、肌が乾燥気味ですので加湿器を運転しておきましょうか。」という確認メッセージを含むメッセージを流す。そして、ユーザがエアコン３００や加湿器４００の運転を望んでいることを示唆する操作（肯定応答用の操作）が同ユーザにより行われると、その操作があったことを示唆するデータが送信回路３９から送信されるとともに、それを受信した環境調整装置２００側において、制御回路２２０によりエアコン３００や加湿器４００に対する作動制御が開始される。
【００９８】
・状況監視装置１００と環境調整装置２００との間での通信は、無線通信或いは有線通信のいずれであってもよい。無線通信を用いる場合、状況監視装置１００と環境調整装置２００との間において、例えば携帯電話を用いた通信を採用してもよい。一方、状況監視装置１００と環境調整装置２００との間において、ユーザの人体を信号伝送路とする人体内通信を採用してもよく、この場合、突起３１の先端面に設けられる基準電位用電極や、突起３２の先端面に設けられる通信用電極が活用されてもよい。
【００９９】
尚、有線通信として、車両のどこかに環境調整装置２００との電気的接続のためのコネクタを設けるとともに、状況監視装置１００にもコネクタを設け、これらのコネクタ間をケーブルで結び、このケーブルを介して通信を行ってもよい。
【０１００】
・状況監視装置１００と環境調整装置２００との間での通信によらず、制御回路３６により直接的に快適環境創生機器（エアコン３００等）に対する作動制御が行われる快適環境提供装置に具体化してもよい。この場合、制御回路３６は制御手段に相当する。
【０１０１】
・環境調整装置２００は、建物のエアコン３００等に対する作動制御を行うもの（建物用の環境調整装置）であってもよいし、或いは車両のエアコン３００等に対する作動制御を行うもの（車両用の環境調整装置）であってもよい。勿論、環境調整装置２００は、建物のエアコン３００等に対する作動制御と、車両のエアコン３００等に対する作動制御との両方を行うものであってもよい。
【０１０２】
・ディスプレイ３７やスピーカ３８は、装置本体３に内蔵されることに代えて又は加えて、別体で車内や建物内に設けられていてもよい。この場合、状況監視装置１００とそれとは別体の報知装置（ディスプレイ３７のような表示による報知装置やスピーカ３８のような音による報知装置）との間において有線或いは無線による通信を行うとともに、その通信により状況監視装置１００から報知装置へ報知内容を示すデータを送信する。そして、そのデータを受信した報知装置を通じて、前記実施形態と同様の報知、或いはそれ以上の細部に及ぶ報知が行われるようにしてもよい。
【０１０３】
尚、表示による報知装置や音による報知装置を車両内に設ける場合、それらをカーナビゲーションシステムに供されるもので兼用してもよい。また、表示による報知装置や音による報知装置を建物内に設ける場合、それらをパソコンやステレオで兼用してもよい。
【０１０４】
このように構成すれば、人に装着される装置本体３からディスプレイ３７やスピーカ３８を割愛することが可能となり、よって装置本体３を小型軽量化できるとともに、それ故にウェアラブルな装置本体３を提供できる。しかも、この場合、ディスプレイ３７は人への装着から切り離すことが可能となり、よってディスプレイ３７にあって大きさに制約を受け難くなるから、つまり広い画面を用いて報知内容を表示できることになるから、細部に及ぶ報知を行うことができる。
【０１０５】
・温度センサ装置４〜肌水分量センサ装置９等のセンサ装置の少なくとも１つは、予め装置本体３に内蔵されていてもよい。
・センサ装置として、ユーザを取り巻いている環境の気圧を検出する気圧センサ、ユーザを取り巻いている環境の酸素濃度を検出する酸素濃度センサ、ユーザの血圧を検出する血圧センサ、ユーザのシワの進度を検出するシワ進度センサ、ユーザの肌のキメ度を検出する肌キメ度センサ、ユーザの肌の弾力を検出する肌弾力センサ等を採用してもよい。
【０１０６】
・状況監視装置１００は、ユーザの腕に装着される腕時計型或いはブレスレット型に限らず、ユーザの首に掛けられるネックレス型或いはペンダント型、その他にも眼鏡型、指輪型等であってもよい。要は、監視対象となる状況がユーザの生体情報であるならば、状況監視装置１００は、人体に接触されるもの、特に人体に密着されるものであることが好ましい。また、人として車両の運転者を想定するならば、その者が乗車するか否かに拘わらず、普段から人体に装着されるもの、例えば、装置本体３に腕時計が一体化されるとともに、それに所望のセンサ装置が取り付けられたものであることが好ましい。
【０１０７】
・対応する電子キーのアンロックボタン（ロックボタン）が操作されたときに、自動車等の車両或いは住宅等の建物のドア施解錠制御装置によりドアの解錠（施錠）を許可する、いわゆるキーレスシステムに供される電子キーに必要な機能（キーレス機能）が前記実施形態の装置本体３に内蔵されていてもよい。ここに、装置本体３に内蔵されるキーレス機能とは、アンロックボタン（ロックボタン）が操作されたとき、ドアの解錠（施錠）を要求する解錠要求コード（施錠要求コード）と、装置本体３（電子キー）毎に個別に設定されたＩＤコードとを含むＩＤコード信号を送信する機能を指す。尚、このようなＩＤコード信号がドア施解錠制御装置により受信されたとき、これに含まれるＩＤコードと基準ＩＤコードとの照合が行われるとともに、それらが一致したことを条件としてドアの解錠（施錠）が許可される。
【０１０８】
或いは、対応する電子キーがドアの近くに存在していることを条件として、自動車等の車両或いは住宅等の建物のドア施解錠制御装置によりドアの解錠（施錠）を許可する、いわゆるスマートシステムに供される電子キーに必要な機能（スマート機能）が前記実施形態の装置本体３に内蔵されていてもよい。ここに、装置本体３に内蔵されるスマート機能とは、ドアに対する装置本体３の接近を監視する目的でドア施解錠制御装置から定期的に送信されるリクエスト信号を受信したとき、それに応答して、装置本体３（電子キー）毎に個別に設定されたＩＤコードを含むＩＤコード信号を送信する機能を指す。尚、このようなＩＤコード信号がドア施解錠制御装置により受信されたとき、これに含まれるＩＤコードと基準ＩＤコードとの照合が行われるとともに、それらが一致したことを条件としてドアの解錠（施錠）が許可される。
【０１０９】
ちなみに、装置本体３にスマート機能が内蔵されていれば、ドアの施解錠のみならず、車両のエンジン始動についても許可されるようにすることも可能となる。
これらのように装置本体３にキーレス機能或いはスマート機能或いはそれらの両方が内蔵されているとき、車両の運転者或いは建物の住人等のユーザは、電子キーと状況監視装置１００との両方、つまり２つの物を所持する必要がなくなり、よって極めて携帯性に優れる。尚、キーレス機能やスマート機能に関して、それらを車両と建物との両方に用いることが可能な構成を採用したとき、車両用のキー、建物用のキー、状況監視装置１００、といった３つの物を所持する必要がなくなり、よってさらに携帯性に優れる。
【０１１０】
また、装置本体３にキーレス機能が内蔵されている場合、装置本体３から車両・建物へＩＤコード信号を送信するに際して、ユーザの生活環境やユーザの体調に関する情報を車両・建物側へ送信すれば、それを車両・建物側において利用することができる。
【０１１１】
さらに、装置本体３にスマート機能が内蔵されている場合、装置本体３から車両・建物へＩＤコード信号を送信するに際して、ユーザの生活環境やユーザの体調に関する情報を車両・建物側へ送信すれば、それを車両・建物側において利用することができる。また、それとは逆に、車両・建物から装置本体３へリクエスト信号を送信するに際して、車両・建物側の情報を装置本体３側へ送信すれば、それを装置本体３側において利用することができる。例えば、後者に関して言えば、車両・建物側の設定を変更するような場合に、その変更が行われたことをユーザに伝える、いわゆるアンサーバックに利用することができる。
【０１１２】
次に、上記実施形態及び別例から把握できる技術的思想について記載する。
〔１〕請求項１に記載の快適環境提供装置において、
第１の基準状況に対する快適な環境として第２の基準状況を規定するとともに、前記第１の基準状況を示唆する第１の基準データと、前記第２の基準状況を示唆する第２の基準データとを関連付けして記憶する記憶手段を備え、
前記制御手段は、前記記憶手段に記憶されている第１の基準データに相当する検出データが前記センサ装置により検出されたとき、前記第１の基準データに関連付けされている前記第２の基準データを前記快適環境基準データとして設定するとともに、前記センサ装置による新たな検出データが、前記快適環境基準データとしての前記第２の基準データに向かうように、前記快適環境創生機器に対する作動制御を行うことを特徴とする快適環境提供装置。
【０１１３】
同構成によると、第１の基準状況に相当する状況であるとき、それに対する快適な環境である第２の基準状況に向かうように快適環境創生機器に対する作動制御が行われる。つまり、人による操作に頼ることなく、快適な環境がいわば自動的に提供されるので、利便性を向上することができる。
【図面の簡単な説明】
【０１１４】
【図１】（ａ）は状況監視装置の構成を示す平面図であり、（ｂ）は状況監視装置の構成を少し拡大して示す断面図。
【図２】快適環境提供システムの電気的構成を示すブロック図。
【符号の説明】
【０１１５】
１…快適環境提供システム（快適環境提供装置）、４…温度センサ装置（センサ装置）、５…湿度センサ装置（センサ装置）、６…紫外線量センサ装置（センサ装置）、７…体温センサ装置（センサ装置）、８…心拍数センサ装置（センサ装置）、９…肌水分量センサ装置（センサ装置）、３７…ディスプレイ（報知手段）、３８…スピーカ（報知手段）、２２０…制御回路（制御手段）、２２０ａ…メモリ（記憶手段）、３００…エアコン（快適環境創生機器）、４００…加湿器（快適環境創生機器）、５００…アロマディフューザー（快適環境創生機器）、６００…オーディオ（快適環境創生機器）、７００…照明器具（快適環境創生機器）。
【図１】
2008121963.tif 000003
【図２】
2008121963.tif 000004